(57)【要約】【課題】連系運転状態での電源手段の運転が許可された正当な使用者であるか否かの認証処理を合理的なタイミングで行うことのできる電源装置を提供する。【解決手段】外部の電力系統１に電気的に接続された状態で電力消費装置３に対して給電可能な連系運転状態と、電力系統１とは電気的に遮断された状態で電力消費装置３に対して給電可能な自立運転状態とを切り換えて動作可能な電源手段１１と、使用者認証タイミングになると、連系運転状態での電源手段１１の運転が許可された正当な使用者であるか否かの認証処理を実行する認証処理手段１４とを備える電源装置１０であって、認証処理手段１４は、自立運転状態に切り換えられているときに使用者認証タイミングになると、認証処理を中止する認証中止処理を行なうように構成されている。【選択図】図１
2014007869.tif 000002
【特許請求の範囲】
【請求項１】
外部の電力系統に電気的に接続された状態で電力消費装置に対して給電可能な連系運転状態と、前記電力系統とは電気的に遮断された状態で前記電力消費装置に対して給電可能な自立運転状態とを切り換えて動作可能な電源手段と、
使用者認証タイミングになると、前記連系運転状態での前記電源手段の運転が許可された正当な使用者であるか否かの認証処理を実行する認証処理手段とを備える電源装置であって、
前記認証処理手段は、前記自立運転状態に切り換えられているときに前記使用者認証タイミングになると、前記認証処理を中止する認証中止処理を行なうように構成されている電源装置。
【請求項２】
前記認証処理手段は、前記認証処理を実行するために、
前記使用者認証タイミングであるか否かを判定する認証タイミング判定部と、
前記認証タイミング判定部が前記使用者認証タイミングであると判定したとき、使用者に対して認証用情報の入力を要求する情報入力要求部と、
前記情報入力要求部からの要求に応じて使用者が入力した情報を受け付ける情報受付部と、
前記情報受付部が受け付けた情報が正当な前記認証用情報であれば使用者を認証する情報判定部とを有する請求項１に記載の電源装置。
【請求項３】
前記認証処理手段は、使用者から前記認証用情報の変更希望を受付可能に構成され、前記認証用情報の変更受付に際して、現状の認証用情報及び変更後の新たな認証用情報の入力を使用者に対して要求し、使用者が入力した前記現状の認証用情報が前記正当な認証用情報であれば、使用者が入力した前記新たな認証用情報を前記正当な認証用情報として設定する請求項２に記載の電源装置。
【請求項４】
前記認証処理手段は、前記認証中止処理を行なっているときに前記連系運転状態に切り換えられると、前記認証中止処理を終了する請求項１〜３の何れか一項に記載の電源装置。
【発明の詳細な説明】
【技術分野】
【０００１】
本発明は、外部の電力系統に電気的に接続された状態で電力消費装置に対して給電可能な連系運転状態と、電力系統とは電気的に遮断された状態で電力消費装置に対して給電可能な自立運転状態とを切り換えて動作可能な電源手段と、使用者認証タイミングになると、連系運転状態での電源手段の運転が許可された正当な使用者であるか否かの認証処理を実行する認証処理手段とを備える電源装置に関する。
【背景技術】
【０００２】
特許文献１には、外部の電力系統に電気的に接続された状態で電力消費装置に対して給電可能な連系運転状態と、電力系統とは電気的に遮断された状態で電力消費装置に対して給電可能な自立運転状態とを切り換えて動作可能な電源手段を備える電源装置が記載されている。このような電源装置を設けることで、外部の電力系統からの電力供給が正常に行われている間は電源装置を連系運転状態に切り換えることで、外部の電力系統及び電源装置の少なくとも何れか一方から電力消費装置への電力供給を行える。また、外部の電力系統からの電力供給が正常に行われなくなったとき（例えば、停電時）であっても、電源装置を自立運転状態に切り換えることで電源装置から電力消費装置への電力供給を行える。
【０００３】
また、外部の電力系統に電源装置を連系して運転する場合、その電力系統を管理する電力会社からの許諾を受けるための系統連系手続き、即ち、使用者の認証処理を行うことが求められる。特許文献２は、そのような使用者の認証処理を行う電源装置の一例を記載している。具体的には、特許文献２には、使用者認証タイミングになると、系統連系手続きが完了しているか否かを問い合わせを使用者に対して行い、その問い合わせに対する応答情報から使用者が認証されていない者であると識別された時に、電源手段が運転状態になることを牽制する電源装置が開示されている。また、特許文献２では、使用者認証タイミングの例として、一定周期毎のタイミング、及び、停電状態から連系状態へ切り替わったタイミングが記載されている。
【先行技術文献】
【特許文献】
【０００４】
【特許文献１】特開２００８−２２３５５９号公報
【特許文献２】特開２００６−１５８０６８号公報
【発明の概要】
【発明が解決しようとする課題】
【０００５】
使用者認証タイミングが到来して、連系運転状態での電源手段の運転が許可された正当な使用者であるか否かの認証処理を実行する場合、その認証処理への対応を使用者に対して求めることになる。尚、使用者認証タイミングが到来したのが電源手段を自立運転状態で動作させている間である場合、外部の電力系統からの電力供給が正常に行われていない状態（例えば、停電状態）であるので、電源手段から全ての電力消費装置に対して電力を供給できているとは限らない。例えば、一部の照明装置に対して電力供給が行われておらず、屋内が暗いといった状態も考えられる。このように、電源手段を自立運転状態で動作させている状態は、停電中であるという非常時であるために使用者は認証処理に対して適切に対応できなかったり、室内が暗いために認証処理に関する書類を探すことができなかったりする可能性がある。
【０００６】
また、電源手段を自立運転状態で動作させている限り電源手段は電力系統に連系されないため、電源手段を自立運転状態で動作させることには問題はない。その結果、使用者認証の処理を急いで行う必要はない。
【０００７】
本発明は、上記の課題に鑑みてなされたものであり、その目的は、連系運転状態での電源手段の運転が許可された正当な使用者であるか否かの認証処理を合理的なタイミングで行うことのできる電源装置を提供する点にある。
【課題を解決するための手段】
【０００８】
上記目的を達成するための本発明に係る電源装置の特徴構成は、外部の電力系統に電気的に接続された状態で電力消費装置に対して給電可能な連系運転状態と、前記電力系統とは電気的に遮断された状態で前記電力消費装置に対して給電可能な自立運転状態とを切り換えて動作可能な電源手段と、
使用者認証タイミングになると、前記連系運転状態での前記電源手段の運転が許可された正当な使用者であるか否かの認証処理を実行する認証処理手段とを備える電源装置であって、
前記認証処理手段は、前記自立運転状態に切り換えられているときに前記使用者認証タイミングになると、前記認証処理を中止する認証中止処理を行なうように構成されている点にある。
【０００９】
上記特徴構成によれば、認証処理手段は、使用者認証タイミングになると、連系運転状態での電源手段の運転が許可された正当な使用者であるか否かの認証処理を実行する。つまり、使用者認証タイミングが到来する度に、電源手段が、連系運転状態での運転が許可された状態で運転されることを確保できる。例えば、電源装置の使用者が途中で変更されたとしても、その後、使用者認証タイミングに至ったときに、新たな使用者に対して連系運転状態での電源手段の運転が許可された正当な使用者であるか否かの認証処理への対応を求めることで、電源手段が、連系運転状態での運転が許可された状態で運転されることを確保できる。
加えて、認証処理手段は、自立運転状態に切り換えられているときに使用者認証タイミングになると上記認証処理を中止する認証中止処理を行なう。つまり、電源手段が自立運転状態に切り換えられている状態、即ち、電源手段を電力系統に連系していない状態、においては不要とも言える使用者の認証処理への対応が求められることなく、電源手段を自立運転させ続けることができる。
従って、連系運転状態での電源手段の運転が許可された正当な使用者であるか否かの認証処理を合理的なタイミングで行うことのできる電源装置を提供できる。
【００１０】
本発明に係る電源装置の別の特徴構成は、前記認証処理手段は、前記認証処理を実行するために、
前記使用者認証タイミングであるか否かを判定する認証タイミング判定部と、
前記認証タイミング判定部が前記使用者認証タイミングであると判定したとき、使用者に対して認証用情報の入力を要求する情報入力要求部と、
前記情報入力要求部からの要求に応じて使用者が入力した情報を受け付ける情報受付部と、
前記情報受付部が受け付けた情報が正当な前記認証用情報であれば使用者を認証する情報判定部とを有する点にある。
【００１１】
上記特徴構成によれば、認証処理において、情報入力要求部は、使用者に対して認証用情報の入力を要求し、情報判定部は、情報受付部が受け付けた情報が正当な認証用情報であれば使用者を認証する。このように、認証処理において、情報入力要求部は、認証用情報の入力を求めていることを使用者に対して明確に認識させることができる。加えて、情報判定部は、認証用情報の入力が求められた使用者から的確な情報が入力されるのを待つことができる。その結果、使用者の認証処理を円滑に進めることができる。
【００１２】
本発明に係る電源装置の更に別の特徴構成は、前記認証処理手段は、使用者から前記認証用情報の変更希望を受付可能に構成され、前記認証用情報の変更受付に際して、現状の認証用情報及び変更後の新たな認証用情報の入力を使用者に対して要求し、使用者が入力した前記現状の認証用情報が前記正当な認証用情報であれば、使用者が入力した前記新たな認証用情報を前記正当な認証用情報として設定する点にある。
【００１３】
上記特徴構成によれば、正当な認証用情報を入力した使用者に対しては、認証用情報の変更が許可される。つまり、上記認証処理において使用者が入力しなければならない情報が使用者の意思によって設定された情報（例えば、使用者にとって覚え易い情報など）とすることができるので、上記認証処理が円滑に進むことが期待できる。
【００１４】
本発明に係る電源装置の更に別の特徴構成は、前記認証処理手段は、前記認証中止処理を行なっているときに前記連系運転状態に切り換えられると、前記認証中止処理を終了する点にある。
【００１５】
上記特徴構成によれば、連系運転状態に切り換えられて認証中止処理が終了されることで、使用者認証タイミングになると、連系運転状態での電源手段の運転が許可された正当な使用者であるか否かの認証処理が行なわれるようになる。
【図面の簡単な説明】
【００１６】
【図１】第１実施形態の電源装置が設けられる電力供給システムの構成を説明する図である。
【図２】認証処理のフローチャートを説明する図である。
【発明を実施するための形態】
【００１７】
以下に図面を参照して本発明に係る電源装置１０について説明する。図１は、電源装置１０が設けられる電力供給システムの構成を説明する図である。電力供給システムは、電力消費装置３に対して、外部の電力系統１及び電源装置１０の少なくとも何れか一方から電力を供給可能に構成されている。
以下に、電力供給システムの構成について具体的に説明する。
【００１８】
電源装置１０は、外部の電力系統１に電気的に接続された状態で電力消費装置３に対して給電可能な連系運転状態と、電力系統１とは電気的に遮断された状態で電力消費装置３に対して給電可能な自立運転状態とを切り換えて動作可能な電源手段１１を備える。
電源装置１０が備える電源手段１１は、各種発電装置や蓄電装置などである。例えば、電源手段１１として、エンジンとそのエンジンによって駆動される発電機や、燃料電池や、太陽光発電装置などを用いることができる。また、蓄電池（例えば、化学電池）や電気二重層キャパシタなどの蓄電装置を上記電源手段１１として用いることができる。
【００１９】
分電盤２には、外部の電力系統１と、電源装置１０Ａが有する電源手段１１と、電力消費装置３Ａ（３）とが接続される。電力系統１から電力供給が正常に行なわれているとき、この分電盤２を経由して、電力消費装置３Ａに対して電力供給が行なわれる。また、分電盤２に対して電源手段１１が接続されているとき、電源手段１１の電力を分電盤２に供給可能である。このように、電源手段１１を電力系統１に連系している連系運転状態では、分電盤２に対して、電力系統１及び電源手段１１の双方から電力供給可能な状態になっている。分電盤２には、電力消費装置３Ａ、及び、連系用電気コンセント４が電気的に接続されている。連系用電気コンセント４には、電力消費装置３Ｂ（３）を接続可能である。図１に示す例では、連系用電気コンセント４に接続できる電力消費装置３として、電力消費装置３Ｂを例示している。電力消費装置３Ｂは電気プラグ６に対して電気的に接続されており、その電気プラグ６を連系用電気コンセント４に装着することで、分電盤２を経由した電力供給を受けることができる。
【００２０】
本実施形態において、電力消費装置３Ａは、分電盤２を経由した電力供給が途絶えた場合（即ち、電力系統１が停電した場合）に電力供給が遮断されても構わないような装置（例えば、一部の照明装置等）である。電力消費装置３Ｂは、分電盤２を経由した電力供給が途絶えた場合であっても電力供給を必要とする装置（例えば、テレビ、携帯電話用充電器、冷蔵庫、一部の照明装置など）である。尚、どのような装置を上記電力消費装置３Ａ又は上記電力消費装置３Ｂと分類するのかは使用者が適宜変更可能である。
【００２１】
電源装置１０は、電源手段１１と、電源手段１１の動作を制御する動作制御手段１２とを有する。例えば、電源手段１１が上記発電装置で構成される場合、動作制御手段１２は、その発電装置の発電運転の開始制御、発電運転の停止制御、発電電力の制御などを行う。また、電源手段１１が上記蓄電装置で構成される場合、動作制御手段１２は、その蓄電装置の充電動作及び放電動作の切り換え制御、充電電力又は放電電力の制御などを行う。
【００２２】
また、電源装置１０は、その使用者が切換操作を行う連系／自立切換スイッチ１３を備える。この連系／自立切換スイッチ１３は、電源装置１０に対して連系運転状態及び自立運転状態のうちの何れの運転状態での動作を許容するのかを切り替えるスイッチである。また、電源手段１１には、電力を出力可能な電力端子が２系統設けられている。一つは、連系運転状態での動作時に電力を分電盤２へと供給するときに用いる連系用電力端子１１ａであり、もう一つは自立運転状態での動作時に電力を自立用電気コンセント５へ供給するときに用いる自立用電力端子１１ｂである。
【００２３】
動作制御手段１２は、連系／自立切換スイッチ１３の切換状態を逐次検出でき、その切換状態に応じた動作指令が動作制御手段１２から電源手段１１へと伝達される。具体的には、連系／自立切換スイッチ１３が「連系運転状態」に切り換えられると、動作制御手段１２は、連系／自立切換スイッチ１３が切り換えられたことを検知して電源手段１１に対して連系運転モードでの動作を許容する。従って、連系／自立切換スイッチ１３が連系運転状態に切り換えられているとき、電源手段１１から出力される電力は、連系用電力端子１１ａを介して分電盤２に供給可能であるが、自立用電力端子１１ｂを介して自立用電気コンセント５に供給されることは無い。これに対して、連系／自立切換スイッチ１３が「自立運転状態」に切り換えられると、動作制御手段１２は、連系／自立切換スイッチ１３が切り換えられたことを検知して電源手段１１に対して自立運転モードでの動作を許容する。従って、連系／自立切換スイッチ１３が自立運転状態に切り換えられているとき、電源手段１１から出力される電力は、自立用電力端子１１ｂを介して自立用電気コンセント５に供給可能であるが、連系用電力端子１１ａを介して分電盤２に供給されることはない。
【００２４】
電力系統１の停電等の理由により電力系統１からの電力供給が正常に行われていない場合、使用者が、連系／自立切換スイッチ１３を操作して電源装置１０Ａを自立運転状態に切り換える。その結果、上述したように、電源手段１１からは、自立用電力端子１１ｂを介して自立用電気コンセント５へ電力の供給を行える状態になる。また、使用者は、電気プラグ６を自立用電気コンセント５に接続して、電力消費装置３Ｂに対して電源手段１１からの電力が供給されるようにする。
その後、電力系統１からの電力供給が正常に行なわれるようになると、使用者は、連系／自立切換スイッチ１３を操作して電源装置１０を連系運転状態に切り換える。また、使用者は、電気プラグ６を連系用電気コンセント４に接続して、電力消費装置３Ａ及び電力消費装置３Ｂに対して、電力系統１から供給される電力及び電源手段１１から供給される電力の少なくとも一方が分電盤２を介して供給される状態にする。
【００２５】
次に、電源装置１０の構成について更に具体的に説明する。
外部の電力系統（例えば、電力会社が管理する電力系統など）１に電源装置１０を連系して運転する場合、電力会社からの許諾を受けるための系統連系手続き、即ち、使用者認証手続きを行う必要がある。そこで、電源装置１０は、使用者認証タイミングになると、連系運転状態での電源手段１１の運転が許可された正当な使用者であるか否かの認証処理を実行する認証処理手段１４を備える。
【００２６】
図２は、認証処理手段１４が行う認証処理のフローチャートを説明する図である。
この認証処理手段１４は、上記認証処理を実行するために、図１に示すように、使用者認証タイミングであるか否かを判定する認証タイミング判定部１５と、認証タイミング判定部１５が使用者認証タイミングであると判定したとき、使用者に対して認証用情報の入力を要求する情報入力要求部１６と、情報入力要求部１６からの要求に応じて使用者が入力した情報を受け付ける情報受付部１７と、情報受付部１７が受け付けた情報が正当な認証用情報であれば使用者を認証する情報判定部１８とを有する。
【００２７】
図２に示すように、工程＃１０において認証タイミング判定部１５は、使用者認証タイミングであるか否かを判定する。例えば、認証タイミング判定部１５は、日時などの時間情報を管理し、例えば一ヶ月毎などの一定周期毎に使用者認証タイミングであると判定する。認証タイミング判定部１５は、使用者認証タイミングが到来したと判定すると（図２の工程＃１０において「Ｙｅｓ」と判定すると）、その旨を情報入力要求部１６に伝達し、工程＃１２に移行する。
【００２８】
工程＃１２において情報入力要求部１６は、認証タイミング判定部１５が使用者認証タイミングであると判定したことに伴って、使用者に対して認証用情報の入力を要求する。情報入力要求部１６は、文字及び記号の形態で情報を出力提示できる表示器や、音声の形態で情報を出力提示できるスピーカなどを用いて実現できる。そして、情報入力要求部１６は、予め使用者に対して伝達されているはずの識別番号などの認証用情報の入力要求（「識別番号を入力してください」など）を文字表示や音声出力する。
【００２９】
次に、工程＃１４において情報受付部１７は、情報入力要求部１６からの要求に応じて使用者が入力した情報を受け付けたか否かを判定する。情報受付部１７は、使用者が文字や記号の入力を行うことができる情報入力機器などを用いて実現できる。情報受付部１７は、使用者が入力した情報を受け付けるまで工程＃１４を繰り返し行う。情報受付部１７は、使用者が上記情報入力機器などを用いて入力した情報を受け付けると、その情報を情報判定部１８に伝達し、工程＃１６に移行する。
【００３０】
工程＃１６において情報判定部１８は、情報受付部１７が受け付けた情報が正当な認証用情報であるか否かを判定する。そして、受け付けた情報が正当な認証用情報であれば使用者を認証する（工程＃１８）。例えば、電源装置１０には、使用者を識別可能な上記認証用情報を記憶する記憶手段１９が設けられており、情報判定部１８は、情報受付部が受け付けた情報が、記憶手段１９に記憶されている認証用情報と一致すれば、情報受付部１７が受け付けた情報が正当であるとして使用者を認証する。
【００３１】
これに対して、情報判定部１８は、受け付けた情報が正当な認証用情報でない場合は使用者を認証せず、工程＃２０に移行して系統連系手続を促す。例えば、電力会社への連絡先に関する情報及び系統連系手続を行うように促すメッセージなどを表示部に表示させる。
認証処理手段１４は、以上のようにして、使用者認証タイミングになると、連系運転状態での電源手段の運転が許可された正当な使用者であるか否かの認証処理を実行する。
【００３２】
但し、認証処理手段１４は、自立運転状態に切り換えられているときに使用者認証タイミングになると、図２に示した認証処理を中止する認証中止処理を行なう。ここで、認証中止処理は、認証処理の全工程を開始しないこと、及び、認証処理が開始されていても途中の工程で中断することを意味する。例えば、認証処理手段１４は、使用者認証タイミングになると、連系／自立切換スイッチ１３の切換状態を検出して、連系運転状態に切り換えられていれば上記認証処理を行なう。尚、認証処理手段１４が有する認証タイミング判定部１５及び情報入力要求部１６及び情報受付部１７及び情報判定部１８は、上記認証処理を行なっている途中でも連系／自立切換スイッチ１３の切換状態を所定タイミング毎に検出し、連系／自立切換スイッチ１３が自立運転状態に切り換えられると、認証タイミング判定部１５及び情報入力要求部１６及び情報受付部１７及び情報判定部１８は、上記認証処理を中止する認証中止処理を行なう。そして、認証処理手段１４は、認証処理を途中の工程で中断した場合には、どの段階で中断したのかを記憶手段１９に記憶しておく。
【００３３】
更に、認証処理手段１４が有する認証タイミング判定部１５及び情報入力要求部１６及び情報受付部１７及び情報判定部１８は、認証中止処理を行なって上記認証処理を開始することを中止又は上記認証処理が開始された後で中断したとしても、その後、連系／自立切換スイッチ１３の切換状態を所定タイミング毎に検出する。そして、認証処理手段１４が有する認証タイミング判定部１５及び情報入力要求部１６及び情報受付部１７及び情報判定部１８は、認証中止処理を行なっているときに連系／自立切換スイッチ１３が連系運転状態に切り換えられると、認証中止処理を終了する。つまり、認証処理手段１４が有する認証タイミング判定部１５及び情報入力要求部１６及び情報受付部１７及び情報判定部１８は、認証処理が開始されていなかった場合にはその認証処理を開始し、認証処理が途中で中断されていた場合には、記憶手段１９からその中断した時点の工程に関する情報を読み出して認証処理を再開する。
【００３４】
以上のように、認証処理手段１４が行う認証処理について説明したが、電源装置１０で管理されている上記認証用情報は使用者の意思によって変更可能としてもよい。具体的には、認証処理手段１４は、使用者から認証用情報の変更希望を受付可能に構成され、その認証用情報の変更受付に際して、現状の認証用情報及び変更後の新たな認証用情報の入力を使用者に対して要求し、使用者が入力した現状の認証用情報が正当な認証用情報であれば、使用者が入力した新たな認証用情報を正当な認証用情報として設定する。例えば、情報受付部１７が、使用者から認証用情報の変更を受け付けると、情報入力要求部１６は、使用者に対して変更前の「現在の認証用情報」と変更後の「新たな認証用情報」の入力を要求する。そして、情報受付部１７が、使用者から変更前の「現在の認証用情報」と変更後の「新たな認証用情報」の入力を受け付けると、情報判定部１８は、使用者が入力した「現在の認証用情報」が記憶手段１９に記憶されている正当な認証用情報と一致するか否かを判定し、両者が一致した場合（即ち、正当な使用者であることが確認できた場合）には、使用者による認証用情報の更新を許可して、使用者が入力した「新たな認証用情報」を正当な認証用情報として記憶手段１９に記憶する。このように、正当な使用者に対しては、認証用情報の変更を許可することで、上記認証処理において使用者が入力しなければならない情報が使用者の意思によって設定された情報（例えば、使用者にとって覚え易い情報など）となるので、上記認証処理が円滑に進むことが期待できる。
【００３５】
尚、この認証用情報の変更受付は、上述した使用者認証タイミングが到来することで行われる上記認証処理と同時に実行されるようにしてもよいし、或いは、使用者認証タイミングとは別に単独で実行可能であってもよい。例えば、認証用情報の変更受付が、上述した使用者認証タイミングが到来することで行われる上記認証処理と同時に実行されるように構成する場合、図２に例示した工程＃１２において情報入力要求部１６が、認証タイミング判定部１５が使用者認証タイミングであると判定したことに伴って認証用情報の入力を要求すると共に、認証用情報の変更を同時に行うことを希望するか否かの入力を要求すればよい。
【００３６】
＜別実施形態＞
＜１＞
上記実施形態では、使用者識別タイミングが例えば一ヶ月毎などの一定周期毎である場合を例示したが、使用者識別タイミングをどのようなタイミングに設定するのかは適宜変更可能である。
【００３７】
＜２＞
上記実施形態では電源装置１０の構成について具体例を挙げて説明したが、それらの具体例はあくまでも例示目的で説明したものであり、本発明に係る電源装置１０がそれらの具体例に限定されることはない。例えば、電源装置１０が電気に加えて熱を発生させる熱電併給装置で構成される場合であれば、電源装置がその熱を蓄える蓄熱装置を更に備えていてもよい。
【００３８】
＜３＞
上記実施形態では、連系／自立切換スイッチ１３が使用者によって操作されるスイッチである例を説明したが、使用者の操作によらず自動的に切り換えられるスイッチを採用することもできる。例えば、電力系統１の電圧値を検出し、その電圧値が所定の電圧値未満になると電力系統１で停電が発生したと判定して「自立運転状態」に切り換え、電圧値が所定の電圧値以上になると電力系統１から正常に電力供給が行われていると判定して「連系運転状態」に切り換えるような連系／自立切換スイッチ１３を採用することができる。
【産業上の利用可能性】
【００３９】
本発明は、連系運転状態での電源手段の運転が許可された正当な使用者であるか否かの認証処理を合理的なタイミングで行うことのできる電源装置に利用できる。
【符号の説明】
【００４０】
１  電力系統
３  電力消費装置
３Ａ  電力消費装置
３Ｂ  電力消費装置
１０  電源装置
１１  電源手段
１３  連系／自立切換スイッチ
１４  認証処理手段
１５  認証タイミング判定部
１６  情報入力要求部
１７  情報受付部
１８  情報判定部
【図１】
2014007869.tif 000003
【図２】
2014007869.tif 000004